(57)【特許請求の範囲】
【請求項１】
補給水タンク、熱交換器用補給水系統、軸受用補給水系統、ヘッドタンクを備え、前記補給水タンクからの補給水を前記熱交換器用補給水系統および軸受用補給水系統のそれぞれを介して熱交換器および軸受のそれぞれに供給する発電プラントの補給水供給装置において、前記軸受用補給水系統は、前記熱交換器用補給水系統に直列接続することを特徴とする発電プラントの補給水供給装置。
【請求項２】
軸受用補給水系統は、屋内設置の熱交換器用補給水系統のヘッダに接続することを特徴とする請求項１記載の発電プラントの補給水供給装置。
【請求項３】
軸受用補給水系統に設けた第２ポンプは、前記軸受用補給水系統の単独運転のときのみに駆動させることを特徴とする請求項１記載の発電プラントの補給水供給装置。
【請求項４】
ヘッドタンクと軸受用補給水系統とは、切り離して軸受用ヘッダに接続する構成にすることを特徴とする請求項１記載の発電プラントの補給水供給装置。
【発明の詳細な説明】
【０００１】
【発明の属する技術分野】
本発明は、発電プラントの復水器、熱交換器、軸受等に効果的に補給水を供給する発電プラントの補給水供給装置に関する。
【０００２】
【従来の技術】
一般に、発電プラントでは、復水器、熱交換器、軸受等が、例えば、起動運転時、水が少ない場合を考慮して補給水装置を備え、その補給水装置からの補給水を軸受等に供給し冷却等を行うことにより機器の損傷を未然に防止している。
【０００３】
図２は、従来の補給水装置の一例を示す概略系統図である。
【０００４】
補給水装置は、屋外に設置する補給水タンク１に、例えば軸冷用熱交換器や復水器等に補給水を供給する熱交換器用補給水系統２と、例えば蒸気タービンロータを支持する軸受に冷却水を供給する軸受用補給水系統３とを備えている。
【０００５】
熱交換器用補給水系統２は、第１ポンプ４、逆止弁５ａ、弁６ａを備え、ヘッダ７に接続する第１補給水主系統８と、補給水タンク１の水が少ないとき、第１ポンプ４の出口から一部を補給水タンク１に戻す、逆止弁５ｂ、オリフィス９ａ、弁６ｂを備える第１補給水ミニマムフロー系統１０とを備えている。
【０００６】
また、軸受用補給水系統３は、第２ポンプ１１、逆止弁５ｃ、弁６ｃ、調整弁１２、ヘッドタンク１３を備え、軸受用ヘッダ１４に接続する第２補給水主系統１５と、補給水タンク１の水が少ないとき、第２ポンプ１１の出口から一部を補給水タンク１に戻す、逆止弁５ｄ、オリフィス９ｂ、弁６ｄを備える第２補給水ミニマムフロー系統１６とを備えている。
【０００７】
このような構成を備える補給水供給装置は、補給水タンク１からの水を熱交換器用補給水系統２を介して熱交換器に供給するとともに、軸受に軸受用補給水系統３からの補給水を供給する、別々の運転を行っている。
【０００８】
【発明が解決しようとする課題】
図２に示す従来の補給水供給装置は、熱交換器用補給水系統２と軸受用補給水系統３とが別々に運転していることも手伝って幾つかの問題が含まれている。
【０００９】
まず、第１に、軸受用補給水系統３は、熱交換器用補給水系統２を迂回して配管されているために、管系が長くなり、より多くの配管施設工事量が多くなる問題がある。
【００１０】
また、補給水タンク１は、屋外設置であり、これに伴って軸受用補給水系統３の第２ポンプ１１、配管等に塩害塗装等の対策を施さなければならず、また、モータ等の電気品に防水、防爆等の対策が必要となるなど多くの工事、手当を必要としている。
【００１１】
また、熱交換器用補給水系統２の第１ポンプ４と軸受用補給水系統３の第２ポンプ１１とは、並列配置の別々運転であるため、消費電力が高くなっている。
【００１２】
また、軸受用補給水系統３のヘッドタンク１３や降水管１３ａは、防食剤の投入をしていないために、腐食し易くなり、腐食した場合、応急的措置ができない等の不具合、不都合がある。
【００１３】
本発明は、このような問題点を考慮してなされたもので、軸受用補給水系統と熱交換器用補給水系統との効率的な運転ができるようにする発電プラントの補給水供給装置を提供することを目的とする。
【００１４】
【課題を解決するための手段】
本発明に係る発電プラントの補給水供給装置は、上述の目的を達成するために、請求項１に記載したように、補給水タンク、熱交換器用補給水系統、軸受用補給水系統、ヘッドタンクを備え、前記補給水タンクからの補給水を前記熱交換器用補給水系統および軸受用補給水系統のそれぞれを介して熱交換器および軸受のそれぞれに供給する発電プラントの補給水供給装置において、前記軸受用補給水系統は、前記熱交換器用補給水系統に直列接続するものである。
【００１５】
また、本発明に係る発電プラントの補給水供給装置は、上述の目的を達成するために、請求項２に記載したように、軸受用補給水系統は、屋内設置の熱交換器用補給水系統のヘッダに接続するものである。
【００１６】
また、本発明に係る発電プラントの補給水供給装置は、上述の目的を達成するために、請求項３に記載したように、軸受用補給水系統に設けた第２ポンプは、前記軸受用補給水系統の単独運転のときのみに駆動させるものである。
【００１７】
また、本発明に係る発電プラントの補給水供給装置は、上述の目的を達成するために、請求項４に記載したように、ヘッドタンクと軸受用補給水系統とは、切り離して軸受用ヘッダに接続する構成にするものである。
【００１８】
【発明の実施の形態】
以下、本発明に係る発電プラントの補給水供給装置の実施形態を図面および図面に付した符号を引用して説明する。
【００１９】
図１は、本発明に係る発電プラントの補給水供給装置の実施形態を示す概略系統図である。
【００２０】
本実施形態に係る発電プラントの補給水供給装置は、軸受用補給水系統１７を熱交換器用補給水系統１８に直列接続させる構成になっている。
【００２１】
熱交換器用補給水系統１８は、屋外設置の補給水タンク１９、第１ポンプ２０、逆止弁２１ａ、弁２２ａを備え、ヘッダ２３に接続する第１補給水主系統２３ａと、補給水タンク１９の水が少ないとき、第１ポンプ２０の出口から一部を補給水タンク１９に戻す、逆止弁２１ｂ、オリフィス２４ａ、弁２２ｂを備える第１補給水ミニマムフロー系統２５とを備えている。
【００２２】
また、軸受用補給水系統１７は、屋内設置の熱交換器用補給水系統１８のヘッダ２３に接続する構成になっている。
【００２３】
この軸受用補給水系統１７は、第２ポンプ２６、逆止弁２１ｃ、弁２２ｃ、流量調整弁２７を備えて軸受用ヘッダ３２に接続するとともに、補給水タンク１９の水が少ないとき、第２ポンプ２６の出口から一部をヘッダ２３に戻す、逆止弁２１ｄ、オリフィス２４ｂ、弁２２ｄを備える第２補給水ミニマムフロー系統２８を備えている。
【００２４】
また、軸受用補給水系統１７は、第２ポンプ２６の入口側から分岐し、中間部分に弁２９、逆止弁３０を備えて流量調整弁２７の入口側に接続するバイパス系統３１を設けている。
【００２５】
また、軸受用補給水系統１７は、ヘッドタンク３３に降水管３４を介装して軸受用ヘッダ３２に接続させ、防食剤を投入して腐食を防止している。なお、軸受用ヘッダ３２は、第２補給水主系統３５に接続している。
【００２６】
このような構成を備える本実施形態に係る発電プラントの補給水供給装置は、軸受用補給水系統１７と熱交換器用補給水系統１８との併用運転をする場合、第１ポンプ２０を駆動し、補給水タンク１９からの補給水を熱交換器用補給水系統１８、ヘッダ２３を介して第１補給水主系統２３ａに供給するとともに、ヘッダ２３、軸受用補給水系統１７、軸受用ヘッダ３２を介して第２補給水主系統３５に供給する。この場合、第２ポンプ２６は、運転を停止している。
【００２７】
また、軸受用補給水系統１７だけの単独を運転する場合、本実施形態に係る発電プラントの補給水供給装置は、第２ポンプ２６だけを駆動し、補給水タンク１９からの補給水を軸受用補給水系統１７、軸受用ヘッダ３２を介して第２補給水主系統３５に供給する。
【００２８】
なお、軸受用補給水系統１７の流量調整弁２７は、軸受用補給水系統１７および熱交換器用補給水系統１８の併用運転と軸受用補給水系統１７の単独運転とでは弁開度を異ならしめ、いずれの運転であっても補給水が常に同一流量として流れるように制御している。
【００２９】
このように、本実施形態は、熱交換器用補給水系統１８の屋内設置のヘッダ２３に、軸受用補給水系統１７を直列接続させ、熱交換器用補給水系統１８に加え軸受用補給水系統１７を運転する併用運転のとき、第１ポンプ２０だけを駆動させる一方、軸受用補給水系統１７のみ単独運転のとき、第２ポンプ２６だけを駆動させるので、軸受用補給水系統１７の屋内設置に伴う配管工事を少なくすることができるとともに、屋内付帯工事だけに止まって設置投資費用を少なくすることができ、また、第１ポンプ２０および第２ポンプ２６のうち、いずれか一方だけの駆動により動力費を従来に較べて削減することができる。
【００３０】
また、本実施形態は、軸受用ヘッダ２３に軸受用補給水系統１８とヘッドタンク３３の降水管３４とを別々に接続させ、軸受用補給水系統１８とヘッドタンク３３とを切り離しているので、ヘッドタンク３３への防食剤の投入が容易になり、ヘッドタンク３３および降水管３４等の腐食を防止することができる。
【００３１】
【発明の効果】
以上の説明のとおり、本発明に係る発電プラントの補給水供給装置は、軸受用補給水系統を、熱交換器用補給水系統に直列接続するので、軸受用補給水系統の屋内設備に伴う設置投資コストが少なく、軸受用補給水系統および熱交換器用補給水系統の併用運転または単独運転に伴うポンプの動力費がより少ない効率的な運転を行うことができる。
【図面の簡単な説明】
【図１】本発明に係る発電プラントの補給水供給装置を示す概略系統図。
【図２】従来の発電プラントの補給水供給装置を示す概略系統図。
【符号の説明】
１  補給水タンク
２  熱交換器用補給水系統
３  軸受用補給水系統
４  第１ポンプ
５ａ，５Ｂ，５ｃ，５ｄ  逆止弁
６ａ，６ｂ，６ｃ，６ｄ  逆止弁
７  ヘッダ
８  第１補給水系統
９ａ，９ｂ  オリフィス
１０  第１補給水ミニマムフロー系統
１１  第２ポンプ
１２  調整弁
１３  ヘッドタンク
１４  軸受用ヘッダ
１５  第２補給水主系統
１６  第２補給水ミニマムフロー系統
１７  軸受用補給水系統
１８  熱交換器用補給水系統
１９  補給水タンク
２０  第１ポンプ
２１ａ，２１ｂ，２１ｃ，２１ｄ  逆止弁
２２ａ，２２ｂ，２２ｃ，２２ｄ  弁
２３  ヘッダ
２３ａ  第１補給水主系統
２４ａ，２４ｂ  オリフィス
２５  第１補給水ミニマムフロー系統
２６  第２ポンプ
２７  流量調整弁
２８  第２補給水ミニマムフロー系統
２９  弁
３０  逆止弁
３１  バイパス系統
３２  軸受用ヘッダ
３３  ヘッドタンク
３４  降水管
３５  第２補給水系統
【図１】
0004481530.tif 000002
【図２】
0004481530.tif 000003